(57)【要約】【課題】適切な時期に軸受の潤滑剤を充填し、交換することができる電動機および電動機の潤滑剤充填時期判定システムを提供する。【解決手段】実施形態に係る電動機は、運転状態および停止状態を検出する運転状態停止状態検出手段と、前記運転状態停止状態検出手段が前記運転状態と判定しているときに、運転時間を積算し、前記運転状態停止状態検出手段が前記停止状態と判定しているときに、前記運転時間の積算を中断し、前記運転時間があらかじめ設定された第１しきい値に達したときに、第１警告信号を生成する通算運転時間計算手段と、前記第１警告信号に応じて点灯する第１ランプと、を備える。【選択図】図１
2020022294.tif 000002
【特許請求の範囲】
【請求項１】
運転状態および停止状態を検出する運転状態停止状態検出手段と、
前記運転状態停止状態検出手段が前記運転状態と判定しているときに、運転時間を積算し、前記運転状態停止状態検出手段が前記停止状態と判定しているときに、前記運転時間の積算を中断し、前記運転時間があらかじめ設定された第１しきい値に達したときに、第１警告信号を生成する通算運転時間計算手段と、
前記第１警告信号に応じて点灯する第１ランプと、
を備えた電動機。
【請求項２】
前記通算運転時間計算手段は、
前記第１しきい値よりも大きい値を有する第２しきい値を有し、前記運転時間が前記第２しきい値に達したときに第２警告信号を生成し、
前記第２警告信号に応じて点灯する第２ランプをさらに備えた請求項１記載の電動機。
【請求項３】
回転子および固定子を含む内部構造を覆うように設けられたケースと、
前記運転状態停止状態検出手段の少なくとも一部、前記通算運転時間計算手段、および前記第１ランプを収納する制御箱と、
をさらに備え、
前記制御箱は、前記ケース上に設けられた請求項１または２に記載の電動機。
【請求項４】
請求項１〜３のいずれか１つに記載の電動機と、
前記通算運転時間計算手段が生成した前記第１警告信号を送信する第１通信手段と、
第２通信手段を介して前記第１警告信号を受信して、前記第１警告信号に応じて第３警告信号を生成する監視用端末と、
を備えた電動機の潤滑剤充填時期判定システム。
【請求項５】
前記第１通信手段および前記第２通信手段は、無線通信を含む請求項４記載の電動機の潤滑剤充填時期判定システム。
【請求項６】
電動機と、
あらかじめプログラムされた指令にもとづいて前記電動機を駆動する駆動装置と、
前記指令のうち前記電動機を運転させる運転指令を受信したときには、前記電動機の運転時間を積算し、前記指令のうち前記電動機を停止させる停止指令を受信したときには、前記電動機の前記運転時間の積算を中断し、積算された前記運転時間があらかじめ設定されたしきい値に達したときに潤滑剤を充填すべき旨の表示をするプロセス監視装置と、
を備えた電動機の潤滑剤充填時期判定システム。
【請求項７】
前記電動機は、温度センサを含み、
前記プロセス監視装置は、前記温度センサによって検出された温度データに応じて、前記運転時間の積算データに加速係数を乗じる請求項６記載の電動機の潤滑剤充填時期判定システム。
【発明の詳細な説明】
【技術分野】
【０００１】
本発明の実施形態は、電動機および電動機の潤滑剤充填時期判定システムに関する。
【背景技術】
【０００２】
電動機の軸受には、潤滑剤を充填する必要がある。潤滑剤は、運転時間に応じて指定された量を充填する必要がある。
【０００３】
潤滑剤を充填し、交換する時期は、人間が管理しているため、管理上遺漏を生じるおそれがあり、管理もれが生じると、次の充填や交換時期が不明となり、軸受の故障確率が高くなる。電動機の故障が偶発的に発生すれば、プラントの操業にも影響がおよぶおそれがある。
【先行技術文献】
【特許文献】
【０００４】
【特許文献１】特開２０１１−２５２８０９号公報
【発明の概要】
【発明が解決しようとする課題】
【０００５】
実施形態は、適切な時期に軸受の潤滑剤を充填し、交換することができる電動機および電動機の潤滑剤充填時期判定システムを提供する。
【課題を解決するための手段】
【０００６】
実施形態に係る電動機は、運転状態および停止状態を検出する運転状態停止状態検出手段と、前記運転状態停止状態検出手段が前記運転状態と判定しているときに、運転時間を積算し、前記運転状態停止状態検出手段が前記停止状態と判定しているときに、前記運転時間の積算を中断し、前記運転時間があらかじめ設定された第１しきい値に達したときに、第１警告信号を生成する通算運転時間計算手段と、前記第１警告信号に応じて点灯する第１ランプと、を備える。
【発明の効果】
【０００７】
本実施形態では、適切な時期に軸受の潤滑剤を充填し、交換することができる電動機および電動機の潤滑剤充填時期判定システムが実現される。
【図面の簡単な説明】
【０００８】
【図１】実施の形態１に係る電動機を例示する模式的な正面図である。
【図２】実施の形態２に係る電動機の潤滑剤充填時期判定システムを例示する模式的な構成図である。
【図３】実施の形態３に係る電動機の潤滑剤充填時期判定システムを例示する模式的なブロック図である。
【発明を実施するための形態】
【０００９】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１０】
（実施の形態１）
図１は、実施の形態１に係る電動機を例示する模式的な正面図である。
本実施の形態に係る電動機１は、ケース１０、軸１１および軸受１２を備えた産業用の電動機である。図示しないが、ケース１０内には、軸１１の周囲に回転子が設けられており、回転子の周囲には、ギャップを介して固定子が設けられている。軸１１は、軸受１２に支持されて、回転する。
【００１１】
軸受１２には、軸１１を円滑に回転させるために、潤滑剤が充填されている。充填される潤滑剤は、電動機の種類や用途、軸受の材質等に応じて選定される。潤滑剤は、電動機１の使用により化学反応等によって劣化したり、充填量が減少したりする。そのため、電動機１のユーザは、一定の期間ごとに潤滑剤の量や状態を点検し、所要量となるように充填し、あるいは交換等する必要がある。
【００１２】
電動機１は、温度センサ２，３と、制御箱８と、を備える。温度センサ２，３は、電動機１の内部に設けられている。温度センサ２は、たとえば固定子巻線上に設けられている。温度センサ３は、軸受１２に設けられている。温度センサ２，３は、固定子巻線や軸受１２の温度が上昇したことを検出して、電動機１が運転状態にあるか否かを検出するのに用いられる。温度センサ２，３は、いずれか一方が設けられていればよく、両方設けられている場合には、いずれか一方が用いられる。また、この例では、左右の軸受１２の両方に温度センサ３が設けられているが、いずれか一方が用いられる。なお、これらの温度センサ２，３は、他の用途のために用いられる温度センサを流用してもよい。
【００１３】
制御箱８は、たとえばケース１０の表面に設けられる。制御箱８が設けられる箇所は、電動機１が設置された後に作業者が視認しやすい位置に設けられる。制御箱８の設置位置は、電動機１の点検等を行うオペレータが、電動機１の点検等に来た場合に、電動機１とともに視認することができる箇所であればよい。電動機１のケース１０上に限らず、電動機１の付近に設置された盤内やその盤の付近に設置されてもよい。
【００１４】
制御箱８は、温度センサ２，３と配線によって電気的に接続されている。制御箱８は、内部に図示しない回路基板が設けられており、温度センサ２，３からの配線は、回路基板と電気的に接続されている。
【００１５】
制御箱８には、２つのランプ４，５、リセットボタン６、および入力キー７も設けられている。ランプ４，５、リセットボタン６、および入力キー７は、制御箱８内の回路基板に接続されている。
【００１６】
２つのランプ４，５は、軸受１２の潤滑剤の充填時期を知らせるランプである。一方のランプ４は、潤滑剤の充填時期が近づいていることを知らせる充填警告用のランプである。他方のランプ５は、潤滑剤の充填時期がさらに間近である至急充填警告用のランプである。後に詳述するが、軸受１２の潤滑剤は、電動機１の通算の運転時間が所定に達する前に充填あるいは交換される必要がある。充填警告用のランプ４は、電動機１の通算運転時間が所定の通算運転時間のＡ［％］に達したときに点灯する。至急充填用のランプ５は、電動機１の通算運転時間がＡ［％］よりも大きい値のＢ［％］に達したときに点灯する。以下、Ａ，Ｂを通算運転時間のしきい値、または単にしきい値と呼ぶことがある。
【００１７】
リセットボタン６は、通算運転時間を初期化するためのボタンである。つまり、オペレータがリセットボタン６押すことによって、制御箱８によってカウントされた通算運転時間を０に設定（リセット）する。軸受１２に潤滑剤を充填し、または潤滑剤を交換したときに、オペレータがリセットボタン６を押すことによって、通算運転時間をリセットする。
【００１８】
入力キー７は、電動機１が運転状態と判定される運転時判定温度Ｔｓを設定する。また、入力キー７は、通算運転時間のしきい値Ａ，Ｂを設定する。
【００１９】
制御箱８内の回路基板には、運転判定回路が設けられている。運転判定回路は、温度センサ２，３が取得した温度の測定値Ｔを入力し、入力キー７によってあらかじめ設定された運転時判定温度Ｔｓと比較する。運転判定回路は、測定値Ｔが運転時判定温度Ｔｓ以上となったときに、電動機１の運転開始を示す運転信号を出力する。
【００２０】
また、回路基板には、通算運転時間計算回路が設けられている。通算運転時間計算回路は、運転判定回路が出力した運転信号を入力して、通算運転時間を計算する。通算運転時間計算回路には、入力キー７によって、あらかじめしきい値Ａ，Ｂのデータが入力される。通算運転時間計算回路は、運転信号が入力されている間には、運転時間を積算して通算運転時間を計算する。通算運転時間計算回路は、運転信号が入力されていない間には、運転時間の積算を中断する。
【００２１】
通算運転時間計算回路は、通算運転時間がしきい値Ａに達したときには、充填警告用のランプ４を点灯させるための充填警告信号を出力する。通算運転時間計算回路は、通算運転時間がしきい値Ｂに達したときには、至急充填警告用のランプ５を点灯させるための至急充填警告信号を出力する。
【００２２】
また、回路基板は、ランプ点灯回路を有している。ランプ点灯回路は、通算運転時間計算回路に接続されており、通算運転時間計算回路が出力する充填警告信号または至急充填警告信号に応じて、ランプ４，５を点灯させる。ランプ点灯回路は、充填警告信号を入力したときには、ランプ４を点灯させ、至急充填警告信号を入力したときには、ランプ５を点灯させる。
【００２３】
上述の回路基板は、マイクロコンピュータ等のメモリに展開されたプログラムを逐次実行する半導体装置を含む制御回路により構成されてもよい。あるいは、回路基板は、各回路機能を実現するハードウェアで実現するようにしてもよい。
【００２４】
本実施の形態の電動機１の動作について説明する。
本実施の形態の電動機１では、運転時判定温度Ｔｓ、通算運転時間のしきい値Ａ，Ｂ、および電動機１が記録した通算運転時間の初期化（リセット）は、オペレータ（人間）が制御箱８の入力キー７およびリセットボタン６を操作することによって行われる。
【００２５】
潤滑剤を充填され、交換された電動機１では、オペレータは、まず、リセットボタン６を押して、通算運転時間を初期化する。
【００２６】
次にオペレータは、運転時間判定温度Ｔｓおよび通算運転時間のしきい値Ａ，Ｂを入力キー７によって入力する。なお、運転時間判定温度Ｔｓおよび通算運転時間のしきい値Ａ，Ｂは、リセットボタン６を押したときに、同時に初期化されるようにしてもよい。その場合には、オペレータは、入力キー７により改めて設定値を入力する。運転時間判定温度Ｔｓおよび通算運転時間のしきい値Ａ，Ｂは、リセットボタン６を押したときに、初期化されず、潤滑剤の充填等の前に設定された値を保持していてもよい。その場合には、オペレータは、設定値を確認し、必要に応じて入力キー７によって設定値の修正をする。
【００２７】
動作用電源が投入され、あるいは電動機１を駆動する駆動装置に起動指令等が供給されたことによって、電動機１は動作を開始する。
【００２８】
電動機１の動作によって、電動機１の各部の温度が上昇する。電動機１の温度上昇によって、軸受１２または固定子巻線に設けられた温度センサ２，３の測定値が上昇し、運転時判定温度Ｔｓに達すると、制御箱８の回路基板では、運転時間の積算を開始する。
【００２９】
その後、通算運転時間がしきい値に到達する前に、運転を停止したときには、電動機１の温度が低下するので、運転時間の積算は停止する。再度運転が開始されると上述のようにして運転時間の積算が再開される。
【００３０】
通算運転時間があらかじめ設定されたしきい値Ａに達すると、制御箱８の設けられた充填警告用のランプ４が点灯する。
【００３１】
さらに運転時間が積算され、通算運転時間があらかじめ設定されたしきい値Ｂに達すると制御箱８に設けられた至急充填警告用のランプ５が点灯する。
【００３２】
オペレータは、日常的に行われる点検において、ランプの点灯の有無を視認することによって、軸受１２の潤滑剤の充填時期を認識することができる。
【００３３】
ランプ４，５の点灯により、潤滑剤の充填時期に達したことが明示された電動機１は、充填警告用のランプ４が点灯したときには、日常的な点検時に潤滑剤を充填等し、至急充填警告用のランプ５が点灯したときには、たとえば緊急に電動機１を停止させ（たとえばバックアップ用の電動機に切り換え）、潤滑剤の充填等を行う。
【００３４】
本実施の形態の電動機１の効果について説明する。
本実施の形態の電動機１は、そのケース１０上、あるいはその近傍に、制御箱８を備えている。オペレータが日常的な電動機の目視点検を行う際に、制御箱８も同時に確認することができる。そのため、電動機ごとに通算運転時間時間の管理を容易に行うことができる。
【００３５】
多くの場合には、プラントで用いられる産業用の電動機では、潤滑剤の充填等の時期が設定されており、たとえば数か月単位の定期的な点検において、潤滑剤の充填等を行う。しかしながら、このような定期点検では、潤滑剤の寿命よりも相当程度短い間隔で行わなければならない場合もあり、点検もれを生じた場合には、潤滑剤の劣化や減少等が進んでしまい、軸受の故障、ひいては電動機の故障を生じるおそれがある。
【００３６】
潤滑剤の劣化や減少等は、実際に運転された時間に応じて決まるものであると考えられ、本実施の形態の電動機１では、運転時間を積算して通算運転時間に応じてランプを点灯させるので、潤滑剤の充填等の時期をより適切に明示する。したがって、オペレータは、視認によって、潤滑剤の充填時期等を的確に判定することができる。
【００３７】
また、本実施の形態の電動機１は、通算運転時間が所定値に到達したことを、ランプ４，５の点灯によってオペレータに知らせる。そのため、オペレータが電動機を停止して、潤滑剤の状態を調べることなく、電動機１の運転期間においても充填時期等を判断することができる。
【００３８】
本実施の形態の電動機１では、オペレータに警告するランプが設けられた制御箱８が電動機１のケースやその付近に設けられているので、日々の点検経路における点検をすることができ、潤滑剤の充填時期等を逃すことなく、把握することができる。
【００３９】
（実施の形態２）
上述した実施の形態では、制御箱８が電動機１のケース１０に設けられていたり、電動機１の付近に設けられていたりするものであったが、電動機の付近にオペレータが入ることができないような場合や、電動機が設置場所から離れた場所から潤滑剤の充填時期等を監視したい場合も少なくない。
【００４０】
本実施の形態の電動機の潤滑剤充填時期判定システムでは、電動機のほかに電動機に設けられた制御箱と通信することができる監視用端末を備えている。
【００４１】
図２は、本実施の形態に係る電動機の潤滑剤充填時期判定システムを例示する模式的な構成図である。
図２に示すように、電動機の潤滑剤充填時期判定システム１００は、電動機１０１と、監視用端末１０８ｂと、を備える。電動機１０１には、そのケース１１０に制御箱１０８ａが設けられている。この制御箱１０８ａは、上述した他の実施の形態の電動機１の場合の制御箱８に対して、通信部１０９ａが設けられている点で相違し、他の点では他の実施の形態の場合と同じである。ランプ４ａ，５ａ等、各符号には“ａ”を付してあるが、これら符号を付した要素の動作や機能は、制御箱８の場合の“ａ”を付していない符号の場合と同様であり、詳細な説明を省略する。
【００４２】
制御箱１０８ａの通信部（第１通信手段）１０９ａは、制御箱１０８ａ内の回路基板で生成された充填警告信号および至急充填警告信号を入力して、適切な変調等行い、適切な通信プロトコルで充填警告信号および至急充填警告信号をたとえば無線で送信する。
【００４３】
監視用端末１０８ｂは、通信部１０９ｂを備えている。監視用端末１０８ｂは、たとえば制御箱１０８ａと同じ構成要素を有している。各符号に“ｂ”を付してあるが、動作や機能は制御箱１０８ａの場合と同様である。
【００４４】
通信部（第２通信手段）１０９ｂは、制御箱１０８ａの通信部１０９ａから送信された無線データを受信する。通信部１０９ｂは、無線データを適切な通信プロトコルで受信し、たとえば変調された信号を復調する。復調されたデータは、制御箱１０８ａで生成された充填警告信号および至急充填警告信号に対応している。これらのデータは、たとえば監視用端末１０８ｂの内部に設けられた回路基板中の通算運転時間計算回路の出力に割りこんで、ランプ点灯回路に入力される。
【００４５】
制御箱１０８ａの通信部１０９ａは、信号の送信に限らず、監視用端末１０８ｂから送信されたデータを受信できるようにしてもよい。この場合には、監視用端末１０８ｂは、入力キー７ｂによる操作やリセットボタン６ｂによる操作によって、内部の回路基板で生成されたデータを変調し適切な通信プロトコルで制御箱１０８ａに送信することができる。
【００４６】
このようにして、監視用端末１０８ｂを用いて、通算運転時間の初期化や、運転時判定温度Ｔｓ、通算運転時間のしきい値Ａ，Ｂの設定を行ってもよい。
【００４７】
上述では、制御箱および監視用端末は、無線によって相互に通信するものとしたが、光通信を含む有線で通信するようにしてももちろんよい。
【００４８】
本実施の形態では、制御箱１０８ａおよび監視用端末１０８ｂに通信部１０９ａ，１０９ｂをそれぞれ設けたので、監視用端末１０８ｂは、制御箱１０８ａと通信することができる。そのため、監視用端末１０８ｂは、たとえば電気室内等に設けることができ、遠隔で電動機１０１の潤滑剤の充填時期等を判定することができる。監視用端末１０８ｂを携帯できる程度の大きさとすることによって、オペレータが常時携帯することとしてもよい。
【００４９】
制御箱１０８ａと監視用端末１０８ｂとの通信を、プラント内の制御系のネットワーク等の専用線に接続せずに行うことによって、ネットワークの設定されていない箇所に設置された電動機や、ネットワークに接続されることが前提とされていない電動機についても、潤滑剤の充填時期等を適切に監視することができる。
【００５０】
（実施の形態３）
多くのプラントでは、高速通信が可能な制御用の通信ネットワークが付設されており、電動機やアクチュエータ等は、この通信ネットワークに接続された駆動装置によって駆動され、高度に制御される。このような場合には、電動機の運転や停止は、プログラマブルコントローラ（ＰＬＣ）やプロセス監視装置等によって正確に制御されている。また、電動機の温度も専用の温度センサによってデータ取得され、ＰＬＣ等によってリアルタイムに収集される。これらを利用することによって、容易に精度よく潤滑剤の充填時期等を判定することができる。
【００５１】
図３は、本実施の形態に係る電動機の潤滑剤充填時期判定システムを例示する模式的なブロック図である。
図３に示すように、本実施の形態の電動機の潤滑剤充填時期判定システム２００は、電動機２０１と、駆動装置２２０と、プロセス監視装置２４０と、を備える。電動機２０１は、上述の実施の形態における制御箱８が設けられていない点で相違するが、他の点では、他の実施の形態の場合と同じである。
【００５２】
電動機２０１は、駆動装置２２０に接続されている。電動機２０１は、軸１１に設けられた速度センサ（図示せず）によって、速度データを取得し、駆動装置２２０に供給する。駆動装置２２０は、通信ネットワーク２１１に接続されており、通信ネットワーク２１１経由で、ＰＬＣ２３０に接続されている。駆動装置２２０は、ＰＬＣ２３０から速度パターンデータを取得し、取得した速度パターンに電動機２０１の速度を追従させるように、トルクを生成し、電動機２０１を駆動する。
【００５３】
この例では、ＰＬＣ２３０は、通信ネットワーク２１１とは異なる通信ネットワーク２１２も接続されており、通信ネットワーク２１２を介してプロセス監視装置２４０に接続されている。通信ネットワーク２１１は、たとえば高速データ通信を可能にする制御系のネットワークであり、他方の通信ネットワーク２１２は、社内ＬＡＮ等の汎用的な通信ネットワークである。
【００５４】
プロセス監視装置２４０は、電動機２０１の通算運転時間計算部を備えている。通算運転時間計算部は、ＰＬＣ２３０が駆動装置２２０に対して、運転指令を送信し、プロセス監視装置２４０がその運転指令を受信したときに運転時間の積算を開始する。通算運転時間計算部は、ＰＬＣ２３０が駆動装置２２０に対して、停止指令を送信し、プロセス監視装置２４０がその停止指令を受信したときに運転時間の積算を中断する。
【００５５】
プロセス監視装置２４０は、通算運転時間しきい値設定部を備えている。通算運転時間しきい値判定部は、通算運転時間計算部で積算された通算運転時間があらかじめ設定されたしきい値に達したときに、警告信号を生成する。設定するしきい値は、上述の実施の形態の場合のように、Ａ，Ｂと２種類であってもよいし、１種類あるいは３種類以上としてもよい。しきい値を複数設定する場合には、しきい値ごとに警告信号を変えるようにしてもよい。
【００５６】
プロセス監視装置２４０は、生成された警告信号に応じて、そのＨＭＩ画面に対象の電動機２０１の潤滑剤の充填時期等が到来した旨を表示する。しきい値ごとに変化させた警告信号に応じて、音声で通知したり、表示色を変化させたりしてもよい。
【００５７】
さらに、ＰＬＣ２３０は、電動機２０１の温度センサ２，３の温度データを収集する。プロセス監視装置２４０は、ＰＬＣ２３０を介して、電動機２０１の温度データを取得することができる。プロセス監視装置２４０の通算運転時間計算部は、たとえば、電動機２０１の温度に応じて、通算運転時間を修正するようにしてもよい。
【００５８】
潤滑剤は、化学合成品を含んでおり、その温度によって劣化進度や反応速度等が変化する。一般に、産業用の電動機に用いられる潤滑剤は、温度によって劣化進度や反応速度等は促進される。そこで、本実施の形態の潤滑剤充填時期判定システム２００では、プロセス監視装置２４０が有する通算運転時間計算部は、温度と通算運転時間に対する加速係数のテーブルを有している。
【００５９】
たとえば、テーブルでは、潤滑剤の使用温度範囲を３分割して、低温範囲、中温範囲、高温範囲として、それぞれの温度範囲に対する加速係数が設定されている。低温範囲の加速係数を基準（たとえば“１”）として、中温範囲、高温範囲となるほどに加速係数が大きく設定されている。
【００６０】
温度センサ２，３によって検出された温度がテーブルのいずれの温度範囲にあるかによって、通算運転時間計算部は、加速係数を温度範囲に応じて切り換えて適用し、通算運転時間を計算する。したがって、温度が高い環境で運転されている期間が長いほど、積算される運転時間がより長くなる。つまり、潤滑剤の充填時期等により早く到達し得る。
【００６１】
本実施の形態の潤滑剤充填時期判定システム２００では、ＨＭＩ機能を有するプロセス監視装置２４０が、通信ネットワーク２１１，２１２を介して、電動機２０１の運転、停止の情報をリアルタイムで取得することができる。そのため、運転室や操作室等の電動機２０１から遠隔の場所で、電動機２０１の通算運転時間を把握することができ、潤滑剤の充填時期等を的確に判定することができる。
【００６２】
さらに、本実施の形態の潤滑剤充填時期判定システム２００では、プロセス監視装置２４０は、電動機２０１の温度データをリアルタイムで取得し、温度に応じて潤滑剤の劣化等を加味した通算運転時間を計算することができる。そのため、過酷な温度で使用される産業用の電動機の場合であっても、潤滑剤の劣化や減少等の程度をより正確に運転時間に反映させることができる。したがって、早期に潤滑剤の充填等を行うことができ、プラントの操業をより安定させることができる。
【００６３】
以上説明した実施形態によれば、適切な時期に軸受の潤滑剤を充填し、交換することができる電動機および電動機の潤滑剤充填時期判定システムを実現することができる。
【００６４】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００６５】
１，１０１，２０１  電動機、２，３  温度センサ、４，５  ランプ、６  リセットボタン、７  入力キー、８  制御箱、１０  ケース、１１  軸、１２  軸受、１００，２００  潤滑剤充填時期判定システム、２１１，２１２  通信ネットワーク、２２０  駆動装置、２３０  プログラマブルコントローラ、２４０  プロセス監視装置
【図１】
2020022294.tif 000003
【図２】
2020022294.tif 000004
【図３】
2020022294.tif 000005